【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
複数の放送局の中から放送局を選局する選局部と、
前記選局部で選局された放送局からの放送信号の受信が可能か不可能かを判断する受信可否判断部と、
現在位置を示す情報である位置情報を出力する位置情報出力部と、
前記複数の放送局それぞれの受信可能エリアを示す情報である各受信可能エリア情報を記憶する受信可能エリア情報記憶部と、
前記位置情報が示す現在位置と前記受信可否判断部の判断結果とに基づき、前記各受信可能エリア情報を更新する受信可能エリア情報更新部と、
前記受信可否判断部において、前記選局された放送局からの放送信号の受信が不可能であると判断された場合に、前記受信可能エリア情報記憶部に前記受信可能エリア情報が記憶されている放送局の中から、前記選局された放送局からの放送信号が放送している番組と同じ番組を放送している放送信号を送信している他の放送局を検出し、前記受信可否判断部において受信が可能と判断されるまで、該他の放送局を順次選局していくように前記選局部に指示する選局制御部と、
を備えた放送受信装置であって、
前記選局制御部は、
前記受信可能エリア情報記憶部に記憶されている前記各受信可能エリア情報と前記現在位置を比較することで、
前記他の放送局の中に前記現在位置で受信可能である放送局が複数存在すると判断した場合は、該受信可能である放送局に関する前記受信可能エリアの重心位置と前記現在位置との距離に基づき、該受信可能である放送局の選局を行う優先順位を決定し、該優先順位に従って該受信可能である放送局を順次選局していくように前記選局部に指示を行う現在位置受信可放送局順次選局指示処理と、
前記他の放送局の中に前記現在位置で受信可能である放送局が存在しないが、前記他の放送局の中に前記現在位置で受信不可能である放送局は存在していると判断した場合、又は、前記現在位置受信可放送局順次選局指示処理に応じて前記選局部が選局処理を行った結果、前記受信可能である放送局が全て受信不可能であったと前記受信可否判断部が判断した場合は、該受信不可能である放送局に関する前記受信可能エリアの重心位置と前記現在位置との距離、又は、該受信不可能である放送局に関する前記受信可能エリアの境界と前記現在位置との距離に基づき、該受信不可能である放送局の選局を行う優先順位を決定し、該優先順位に従って該受信不可能である放送局を順次選局していくように前記選局部に指示を行う現在位置受信不可放送局順次選局指示処理と、を行うこと
を特徴とする放送受信装置。
【請求項２】
前記選局制御部は、前記優先順位を決定する際に、前記放送信号から得られる送信電力情報を用いて重み付けを行うことを特徴とする請求項１に記載の放送受信装置。
【請求項３】
前記選局制御部は、前記位置情報出力部が出力する位置情報が示す現在位置が、前記選局された放送局からの放送信号と同じ番組を放送している放送信号を送信している他の放送局の受信可能エリアのいずれにもない場合に、該同じ番組を放送している放送信号を送信している放送局を探すために放送局を順次選局する同一番組放送信号サーチを行うように前記選局部に指示し、順次選局する放送局からの放送信号が該同じ番組を放送しているか否かの判定を行い、該同じ番組を放送していると判定した場合は同一番組放送信号サーチを停止し、該同じ番組を放送していないと判定した場合は同一番組放送信号サーチを続行することを特徴とする請求項１又は２に記載の放送受信装置。
【請求項４】
前記受信可能エリア情報更新部は、前記受信可能エリア情報が示す受信可能エリアの中に前記現在位置が含まれていない場合は前記現在位置が含まれるように該受信可能エリアを拡大し、前記受信可能エリア情報が示す受信可能エリアの中に前記現在位置が含まれている場合は前記現在位置が含まれないように該受信可能エリアを縮小するように、前記受信可能エリア情報を更新することを特徴とする請求項１乃至３のいずれか１項に記載の放送受信装置。
【請求項５】
前記受信可能エリア情報記憶部が記憶する前記受信可能エリア情報は、前記受信可能エリアの形状を表す図形を特定するパラメータであることを特徴とする請求項１乃至４のいずれか１項に記載の放送受信装置。
【請求項６】
前記受信可能エリアの形状を表す図形は多角形であり、前記受信可能エリアの形状を表す図形を特定するパラメータは、該多角形の輪郭を表す複数の頂点の座標値であることを特徴とする請求項５に記載の放送受信装置。
【請求項７】
前記受信可能エリアの形状を表す図形は円であり、前記受信可能エリアの形状を表す図形を特定するパラメータは、該円の輪郭上の複数の位置を示す座標値、又は、該円の中心を示す座標値と半径の長さとであることを特徴とする請求項５に記載の放送受信装置。
【請求項８】
前記受信可能エリアの形状を表す図形は楕円であり、前記受信可能エリアの形状を表す図形を特定するパラメータは、該楕円の輪郭上の複数の位置を示す座標値、又は、該楕円の中心を示す座標値と長径及び短径の長さであることを特徴とする請求項５に記載の放送受信装置。
【請求項９】
前記放送信号は、ＭＰＥＧ−２のトランスポートストリームであり、前記選局制御部における順次選局する放送局からのトランスポートストリームが同じ番組を放送しているか否かの判定は、マルチ周波数ネットワークの関係であるか否かの判定、系列局の関係であるか否かの判定、トランスポートストリームに含まれるサービスが同じか否かの判定、及び、トランスポートストリームに含まれるサービスに含まれる番組が同じか否かの判定のいずれかによることを特徴とする請求項１乃至８のいずれか１項に記載の放送受信装置。
【請求項１０】
選局された放送局からの放送信号の受信が可能か不可能かを判断する受信可否判断ステップと、
前記放送局の受信可能エリアを示す情報である受信可能エリア情報を記憶する受信可能エリア情報記憶ステップと、
現在位置を示す情報である位置情報と前記受信可否判断ステップにおける判断結果とに基づき、前記受信可能エリア情報を更新する受信可能エリア情報更新ステップと、
前記受信可否判断ステップにおいて、前記選局された放送局からの放送信号の受信が不可能であると判断された場合に、前記受信可能エリア情報記憶ステップで前記受信可能エリア情報が記憶された放送局の中から、前記選局された放送局からの放送信号が放送している番組と同じ番組を放送している放送信号を送信している他の放送局を検出する選局制御ステップと、
を有する放送受信方法であって、
前記選局制御ステップは、
前記受信可能エリア情報記憶ステップで記憶された前記受信可能エリア情報と前記現在位置を比較することで、
前記他の放送局の中に前記現在位置で受信可能である放送局が複数存在していると判断した場合は、該受信可能である放送局に関する前記受信可能エリアの重心位置と前記現在位置との距離に基づき、該受信可能である放送局の選局を行う優先順位を決定し、該優先順位に従って該受信可能である放送局を順次選局する現在位置受信可放送局順次選局手順と、
前記他の放送局の中に前記現在位置で受信可能である放送局が存在しないが、前記他の放送局の中に前記現在位置で受信不可能である放送局は存在していると判断した場合、又は、前記現在位置受信可放送局順次選局指示手順の結果、前記受信可能である放送局が全て受信不可能であったと前記受信可否判断ステップが判断した場合は、該受信不可能である放送局に関する前記受信可能エリアの重心位置と前記現在位置との距離、又は、該受信不可能である放送局に関する前記受信可能エリアの境界と前記現在位置との距離に基づき、該受信不可能である放送局の選局を行う優先順位を決定し、該優先順位に従って該受信不可能である放送局を順次選局する現在位置受信不可放送局順次選局手順を行うこと、
を特徴とする放送受信方法。
【請求項１１】
前記現在位置受信可放送局順次選局手順、又は、前記現在位置受信不可放送局順次選局手順において、前記優先順位を決定する際に、前記放送信号から得られる送信電力情報を用いて重み付けを行うことを特徴とする請求項１０に記載の放送受信方法。
【請求項１２】
前記位置情報が示す現在位置が、前記選局された放送局からの放送信号と同じ番組を放送している放送信号を送信している他の放送局の受信可能エリアのいずれにもない場合に、該同じ番組を放送している放送信号を送信している放送局を探すために放送局を順次選局する同一番組放送信号サーチをスタートし、順次選局する放送局からの放送信号が該同じ番組を放送しているか否かの判定を行い、該同じ番組を放送していると判定した場合は同一番組放送信号サーチを停止し、該同じ番組を放送していないと判定した場合は同一番組放送信号サーチを続行する同一番組放送信号サーチステップを有することを特徴とする請求項１０又は１１に記載の放送受信方法。
【請求項１３】
前記受信可能エリア情報更新ステップは、前記受信可能エリア情報が示す受信可能エリアの中に前記現在位置が含まれていない場合は前記現在位置が含まれるように該受信可能エリアを拡大し、前記受信可能エリア情報が示す受信可能エリアの中に前記現在位置が含まれている場合は前記現在位置が含まれないように該受信可能エリアを縮小するように、前記受信可能エリア情報を更新する請求項１０乃至１２のいずれか１項に記載の放送受信方法。
【請求項１４】
前記受信可能エリア情報記憶ステップで記憶する前記受信可能エリア情報は、前記受信可能エリアの形状を表す図形を特定するパラメータであることを特徴とする請求項１０乃至１３のいずれか１項に記載の放送受信方法。
【請求項１５】
前記受信可能エリアの形状を表す図形は多角形であり、前記受信可能エリアの形状を表す図形を特定するパラメータは、該多角形の輪郭を表す複数の頂点の座標値であることを特徴とする請求項１４に記載の放送受信方法。
【請求項１６】
前記受信可能エリアの形状を表す図形は円であり、前記受信可能エリアの形状を表す図形を特定するパラメータは、該円の輪郭上の複数の位置を示す座標値、又は、該円の中心を示す座標値と半径の長さとであることを特徴とする請求項１４に記載の放送受信方法。
【請求項１７】
前記受信可能エリアの形状を表す図形は楕円であり、前記受信可能エリアの形状を表す図形を特定するパラメータは、該楕円の輪郭上の複数の位置を示す座標値、又は、該楕円の中心を示す座標値と長径及び短径の長さとであることを特徴とする請求項１４に記載の放送受信方法。
【請求項１８】
前記放送信号は、ＭＰＥＧ−２のトランスポートストリームであり、前記同一番組放送信号サーチステップにおける、順次選局する放送局からのトランスポートストリームが同じ番組を放送しているか否かの判定は、マルチ周波数ネットワークの関係であるか否かの判定、系列局の関係であるか否かの判定、トランスポートストリームに含まれるサービスが同じか否かの判定、及び、トランスポートストリームに含まれるサービスに含まれる番組が同じか否かの判定のいずれかによることを特徴とする請求項１０乃至１７のいずれか１項に記載の放送受信方法。